(57)【特許請求の範囲】
【請求項１】
各地域での生活に係る地域情報を各地域に対応する位置情報と関連付けて記憶装置に記憶しておき、該記憶装置における情報の読み書きが可能である中央装置により前記地域情報を抽出し、該中央装置に接続する複数の端末装置にて、抽出された地域情報を表示する地域情報表示システムにおいて、
地域情報の発信元識別情報の登録を１又は複数の位置の指定と共に受け付ける手段と、
受け付けた登録対象の発信元識別情報を、指定された前記１又は複数の位置を緯度経度の情報へ変換して得られる指定位置情報と対応付けて前記記憶装置に記憶させる手段と、
利用者識別情報の登録を１又は複数の位置の指定と共に受け付ける手段と、
受け付けた登録対象の利用者識別情報を、指定された前記１又は複数の位置を緯度経度の情報へ変換して得られる指定位置情報と対応付けて前記記憶装置に記憶させる手段と、
利用者識別情報を含むログイン情報を受け付けるログイン受付手段と、
該ログイン情報に対応付けて画像データを受け付ける手段と、
前記ログイン受付手段により受け付けたログイン情報が含む利用者識別情報に対応付けて記憶してある指定位置情報が示す緯度経度の情報を用い、該緯度経度に対応する位置から所定距離内の位置を示す緯度経度の情報が指定位置情報として対応付けられている発信元識別情報の内、小売業に係る情報、サービス業に係る情報の発信元に対応する発信元識別情報を前記地域情報に含まれる文字情報を使用することなしに前記記憶装置から抽出する抽出手段と、
受け付けたログイン情報が含む利用者識別情報に対応付けて記憶してある指定位置情報が示す緯度経度に対応する位置と、抽出された発信元識別情報に対応付けて記憶してある指定位置情報が示す緯度経度が示す位置との間の距離を各算出する手段と、
算出された距離が短い順に、抽出された発信元識別情報に対応する発信元へ、前記画像データに基づく依頼データを通知する手段と
を備えることを特徴とする地域情報表示システム。
【請求項２】
各地域での生活に係る地域情報を各地域に対応する位置情報と関連付けて記憶装置に記憶しておき、該記憶装置における情報の読み書きが可能である中央装置により前記地域情報を抽出し、該中央装置に接続する複数の端末装置にて、抽出された地域情報を表示する地域情報表示方法において、
地域情報の発信元識別情報の登録を１又は複数の位置の指定と共に受け付け、
受け付けた登録対象の発信元識別情報を、指定された前記１又は複数の位置を緯度経度の情報へ変換して得られる指定位置情報と対応付けて前記記憶装置に記憶させ、
利用者識別情報の登録を１又は複数の位置の指定と共に受け付け、
受け付けた登録対象の利用者識別情報を、指定された前記１又は複数の位置を緯度経度の情報へ変換して得られる指定位置情報と対応付けて前記記憶装置に記憶させ、
利用者識別情報を含むログイン情報を受け付け、
該ログイン情報に対応付けて画像データを受け付け、
受け付けたログイン情報が含む利用者識別情報に対応付けて記憶してある指定位置情報が示す緯度経度の情報を用い、該緯度経度に対応する位置から所定距離内の位置を示す緯度経度の情報が指定位置情報として対応付けられている発信元識別情報の内、小売業に係る情報、サービス業に係る情報の発信元に対応する発信元識別情報を前記地域情報に含まれる文字情報を使用することなしに前記記憶装置から抽出し、
受け付けたログイン情報が含む利用者識別情報に対応付けて記憶してある指定位置情報が示す緯度経度に対応する位置と、抽出された発信元識別情報に対応付けて記憶してある指定位置情報が示す緯度経度が示す位置との間の距離を各算出し、
算出された距離が短い順に、抽出された発信元識別情報に対応する発信元へ、前記画像データに基づく依頼データを通知する
ことを特徴とする地域情報表示方法。
【請求項３】
記憶装置を含む他装置と通信することが可能なコンピュータに、各地域での生活に係る地域情報を各地域に対応する位置情報と関連付けて前記記憶装置に記憶してある中から、地域情報を抽出させ、抽出された地域情報を他装置へ送信させるコンピュータプログラムにおいて、
前記コンピュータに、
地域情報の発信元識別情報の登録を１又は複数の位置の指定と共に受け付けるステップ、
受け付けた登録対象の発信元識別情報を、指定された前記１又は複数の位置を緯度経度の情報へ変換して得られる指定位置情報と対応付けて前記記憶装置に記憶させるステップ、
利用者識別情報の登録を１又は複数の位置の指定と共に受け付けるステップ、
受け付けた登録対象の利用者識別情報を、指定された前記１又は複数の位置を緯度経度の情報へ変換して得られる指定位置情報と対応付けて前記記憶装置に記憶させるステップ、
利用者識別情報を含むログイン情報を受け付けるステップ、
該ログイン情報に対応付けて画像データを受け付けるステップ、
受け付けたログイン情報が含む利用者識別情報に対応付けて記憶してある指定位置情報が示す緯度経度の情報を用い、該緯度経度に対応する位置から所定距離内の位置を示す緯度経度の情報が指定位置情報として対応付けられている発信元識別情報の内、小売業に係る情報、サービス業に係る情報の発信元に対応する発信元識別情報を前記地域情報に含まれる文字情報を使用することなしに前記記憶装置から抽出するステップ、
受け付けたログイン情報が含む利用者識別情報に対応付けて記憶してある指定位置情報が示す緯度経度に対応する位置と、抽出された発信元識別情報に対応付けて記憶してある指定位置情報が示す緯度経度が示す位置との間の距離を各算出するステップ、及び
算出された距離が短い順に、抽出された発信元識別情報に対応する発信元へ、前記画像データに基づく依頼データを通知するステップ
を実行させることを特徴とするコンピュータプログラム。
【発明の詳細な説明】
【技術分野】
【０００１】
本発明は、地域の店舗情報、催事情報等の地域情報を表示するシステムに関し、特に、地域情報発信の活性化を図る地域情報表示システム、地域情報表示方法及びコンピュータプログラムに関する。
【背景技術】
【０００２】
インターネット等の情報通信網の普及により、各団体が管理するホームページ、ＳＮＳ（Social Network Service）等に各団体が発信する情報が提供されており、ユーザは種々の情報を情報通信網経由で取得できるようになった。しかしながらユーザは現実社会において、近隣で活動する行政を始めとする店舗、自治体、学校等におけるサービス及び活動内容を含む地域情報を知らないということは少なからずある。ユーザの生活拠点に係る地域情報を可及的に知らしめるべく地域情報を情報社会で提供し、地域内における消費、流通等の生活活動を活性化させ、地域の活性化を図る取り組みが各所でなされている。
【０００３】
地域情報を提供するシステムは例えば、地域ＳＮＳなどが運用されている。地域情報に係る各地域の行政機関、医療機関、教育機関、店舗等の各地点の位置情報を登録しておき、地図情報サービス等を用いて地図上に各地点の地域情報を表示させるシステムが運用されている。
【０００４】
地域情報を提供するに際し、情報量が多いために何らかの基準により地域情報を抽出するか、又は表示順序が決定されて表示される。例えばユーザが地域情報を抽出するためのキーワードを入力又は選択し、入力又は選択されたキーワードに基づき、システム側にて地域情報に対する抽出処理（検索）が行なわれ、各システムで定められる入力キーワードに対する関連度の高さの順に情報が表示される（特許文献１等）。また、抽出対象が地域情報であるから、地域情報に対応付けられている詳細な住所番地、行政区、又は自治体名等の名称（キーワード）の指定を受け付け、これらのキーワードにより情報の抽出がなされる。
【先行技術文献】
【特許文献】
【０００５】
【特許文献１】特開２０１１−１４５８７９号公報
【発明の概要】
【発明が解決しようとする課題】
【０００６】
キーワードによる情報抽出では勿論、キーワードに関連しない情報は抽出されない。ユーザが実際に必要な情報を入手するためには、入力又は選択するキーワードの選定が重要である。選定されたキーワードによって抽出される情報が異なるので、ユーザは必要な情報を十分に得られない可能性がある。地域情報の情報抽出では特に、複数の行政区を跨ぐ範囲における情報が必要な場合がある。このような場合、ユーザは異なる行政区のキーワードを複数回入力するなどの作業を行なわなければならず煩雑である上、必要な情報を十分に得られない可能性がある。
【０００７】
また従前の検索システムでは上述したように、システムで定められる入力キーワードに関連し、頻繁に検索される情報が上位に表示されるように表示順序が与えられる。この場合、地域情報といったある意味で局所的な情報の表示順序は後方とされ、ユーザに情報が到達しないという実情がある。
【０００８】
本発明は、斯かる事情に基づいてなされたものであり、地域活動において焦点又は住民が情報の共有を進める上で地域情報発信の活性化を図ることが可能な地域情報表示システム、地域情報表示方法及びコンピュータプログラムを提供することを目的とする。
【課題を解決するための手段】
【０００９】
本発明に係る地域情報表示システムは、各地域での生活に係る地域情報を各地域に対応する位置情報と関連付けて記憶装置に記憶しておき、該記憶装置における情報の読み書きが可能である中央装置により前記地域情報を抽出し、該中央装置に接続する複数の端末装置にて、抽出された地域情報を表示する地域情報表示システムにおいて、地域情報の登録依頼を受け付ける登録依頼受付手段と、受け付けた登録依頼の承認を実行する手段と、承認された登録依頼に係る地域情報に含まれる文字情報から変換された緯度経度の情報、又は登録依頼元に予め対応付けられている緯度経度の情報を、受け付けた地域情報に関連付けて前記記憶装置に記憶させる手段と、利用者識別情報の登録を１又は複数の位置の指定と共に受け付ける手段と、受け付けた登録対象の利用者識別情報を、指定された前記１又は複数の位置を緯度経度の情報へ変換して得られる指定位置情報と対応付けて前記記憶装置に記憶させる手段と、利用者識別情報を含むログイン情報を受け付けるログイン受付手段と、受け付けたログイン情報が含む利用者識別情報に対応付けて記憶してある指定位置情報が示す緯度経度の情報を用い、該緯度経度に対応する位置から所定距離内の位置を示す緯度経度の情報が関連付けられてある地域情報を、検索用キーワードの入力を受け付けることなく、前記地域情報に含まれる文字情報を使用することなしに、前記記憶装置に記憶してある地域情報から抽出する抽出手段とを備えることを特徴とする。
【００１０】
本発明に係る地域情報表示システムは、受け付けたログイン情報が含む利用者識別情報に対応付けて記憶してある指定位置情報が示す緯度経度に対応する位置と、各地域情報に関連付けられている緯度経度が示す位置との間の距離を各算出する手段と、前記抽出された地域情報に、算出された距離が短い順に順序を付与する手段とを更に備えることを特徴とする。
【００１１】
本発明に係る地域情報表示システムは、前記地域情報は、小売業に係る情報、サービス業に係る情報、建築業若しくは建設の施工に係る情報、製造業・卸業の情報、病院の情報、学校、幼稚園、若しくは保育園の情報、自治会若しくは地域サークルの情報、又は自治体の災害情報を含む地域の生活情報であることを特徴とする。
【００１２】
本発明に係る地域情報表示システムは、ログイン情報に対応付けて画像データを受け付ける手段と、前記抽出手段が抽出した地域情報の内、小売業に係る情報、サービス業に係る情報を抽出する手段と、抽出した地域情報の発信元へ、前記画像データに基づく依頼データを提供する提供手段とを更に備えることを特徴とする。
また本発明に係る地域情報表示システムは更に、前記提供手段は、前記指定位置情報が示す緯度経度に対応する指定位置と、抽出された地域情報に関連付けられている緯度経度の情報に対応する位置との間の距離が短い順に、前記発信元へ通知を行なう手段とを備えてもよい。
【００１３】
本発明に係る地域情報表示システムは、特定の条件を満たす利用者識別情報宛の個別の地域情報を受け付けて前記記憶装置に記憶させる手段と、受け付けたログイン情報が含む利用者識別情報が前記特定の条件を満たす場合、前記特定の条件に対応する前記個別の地域情報を抽出する手段とを更に備えることを特徴とする。
【００１４】
本発明に係る地域情報表示システムは、前記端末装置は、地図画像を表示し、該地図画像内で任意の形状の範囲選択を受け付ける手段と、選択された範囲を示す座標情報を前記中央装置へ送信する手段とを備え、前記中央装置は、前記座標情報に基づき、選択された範囲の輪郭及び中心に対応する緯度経度の情報を特定する手段と、特定した輪郭に含まれる緯度経度が関連付けられている地域情報を抽出する手段と、前記中心の緯度経度が示す位置と、抽出された地域情報に関連付けられている緯度経度が示す位置との間の距離を算出する手段と、前記抽出された地域情報に、算出された距離が短い順に順序を付与する手段とを備えることを特徴とする。
更に本発明に係る地域情報表示システムは、各地域での生活に係る地域情報を各地域に対応する位置情報と関連付けて記憶装置に記憶しておき、該記憶装置における情報の読み書きが可能である中央装置により前記地域情報を抽出し、該中央装置に接続する複数の端末装置にて、抽出された地域情報を表示する地域情報表示システムにおいて、地域情報の発信元識別情報の登録を１又は複数の位置の指定と共に受け付ける手段と、受け付けた登録対象の発信元識別情報を、指定された前記１又は複数の位置を緯度経度の情報へ変換して得られる指定位置情報と対応付けて前記記憶装置に記憶させる手段と、利用者識別情報の登録を１又は複数の位置の指定と共に受け付ける手段と、受け付けた登録対象の利用者識別情報を、指定された前記１又は複数の位置を緯度経度の情報へ変換して得られる指定位置情報と対応付けて前記記憶装置に記憶させる手段と、利用者識別情報を含むログイン情報を受け付けるログイン受付手段と、該ログイン情報に対応付けて画像データを受け付ける手段と、前記ログイン受付手段により受け付けたログイン情報が含む利用者識別情報に対応付けて記憶してある指定位置情報が示す緯度経度の情報を用い、該緯度経度に対応する位置から所定距離内の位置を示す緯度経度の情報が指定位置情報として対応付けられている発信元識別情報の内、小売業に係る情報、サービス業に係る情報の発信元に対応する発信元識別情報を前記地域情報に含まれる文字情報を使用することなしに前記記憶装置から抽出する抽出手段と、受け付けたログイン情報が含む利用者識別情報に対応付けて記憶してある指定位置情報が示す緯度経度に対応する位置と、抽出された発信元識別情報に対応付けて記憶してある指定位置情報が示す緯度経度が示す位置との間の距離を各算出する手段と、算出された距離が短い順に、抽出された発信元識別情報に対応する発信元へ、前記画像データに基づく依頼データを通知する手段とを備えてもよい。
【００１５】
本発明に係る地域情報表示方法は、各地域での生活に係る地域情報を各地域に対応する位置情報と関連付けて記憶装置に記憶しておき、該記憶装置における情報の読み書きが可能である中央装置により前記地域情報を抽出し、該中央装置に接続する複数の端末装置にて、抽出された地域情報を表示する地域情報表示方法において、地域情報の登録依頼を受け付け、受け付けた登録依頼の承認を実行し、承認された登録依頼に係る地域情報に含まれる文字情報から変換された緯度経度の情報又は登録依頼元に予め対応付けられている緯度経度の情報を、受け付けた地域情報に関連付けて前記記憶装置に記憶させ、利用者識別情報の登録を１又は複数の位置の指定と共に受け付け、受け付けた登録対象の利用者識別情報を、指定された前記１又は複数の位置を緯度経度の情報へ変換して得られる指定位置情報と対応付けて前記記憶装置に記憶しておき、利用者識別情報を含むログイン情報を受け付け、受け付けたログイン情報が含む利用者識別情報に対応付けて記憶してある指定位置情報が示す緯度経度の情報を用い、該緯度経度に対応する位置から所定距離内の位置を示す位置情報が関連付けられてある地域情報を、検索用キーワードの入力を受け付けることなく、前記地域情報に含まれる文字情報を使用することなしに前記記憶装置に記憶してある地域情報から抽出することを特徴とする。
【００１６】
本発明に係るコンピュータプログラムは、記憶装置を含む他装置と通信することが可能なコンピュータに、各地域での生活に係る地域情報を各地域に対応する位置情報と関連付けて前記記憶装置に記憶してある中から、地域情報を抽出させ、抽出された地域情報を他装置へ送信させるコンピュータプログラムにおいて、前記コンピュータに、地域情報の登録依頼を受け付けるステップ、受け付けた登録依頼の承認を実行するステップ、承認された登録依頼に係る地域情報に含まれる文字情報から変換された緯度経度の情報又は登録依頼元に予め対応付けられている緯度経度の情報を、受け付けた地域情報に関連付けて前記記憶装置に記憶させるステップ、利用者識別情報の登録を１又は複数の位置の指定と共に受け付けるステップ、及び受け付けた登録対象の利用者識別情報を、指定された前記１又は複数の位置を緯度経度の情報へ変換して得られる指定位置情報と対応付けて前記記憶装置に記憶させるステップを実行させることを特徴とする。
【００１７】
本発明に係るコンピュータプログラムは、記憶装置を含む他装置と通信することが可能なコンピュータに、各地域での生活に係る地域情報を各地域に対応する位置情報と関連付けて前記記憶装置に記憶してある中から、地域情報を抽出させ、抽出された地域情報を他装置へ送信させるコンピュータプログラムにおいて、前記コンピュータに、利用者識別情報を含むログイン情報を受け付けるステップ、及び受け付けたログイン情報が含む利用者識別情報に予め対応付けて記憶してある１又は複数の位置が示す緯度経度の情報を用い、該緯度経度に対応する位置から所定距離内の位置を示す緯度経度の情報が関連付けられてある地域情報を、検索用キーワードの入力を受け付けることなく、前記地域情報に含まれる文字情報を使用することなしに前記記憶装置に記憶してある地域情報から抽出するステップを実行させることを特徴とする。
【００１８】
本発明では、地域情報の登録が一旦承認を受ける工程を経ることにより、地域情報の氾濫を防ぐと共に承認を実行する機関に一定のイニシアチブを持たせることが可能である。利用者識別情報と共に指定される位置（緯度経度の情報）は、利用者の生活拠点、現在位置又は特定の住所に基づくもの等のいずれか１つ又は複数を登録可能である。いずれかの指定位置からの距離に応じて抽出された地域情報が端末装置で表示可能である。ログインした利用者は、キーワードの入力なしに、予め指定した緯度経度の情報を中心とした近隣における地域情報を知り得る。なお地域情報が関連付けられる位置情報は、緯度経度を示す固定の情報であってもよいし、又は緯度若しくは経度の区分を識別する情報であってもよい。また、地域情報の登録では表示期限を同時に受け付け、表示期限を経過した場合には自動的に削除されるようにしてもよい。これにより不要な情報の氾濫が防止される。
【００１９】
本発明では、抽出された情報を端末装置にて表示するに際し、指定された位置を基準とする所定範囲の地図画像上に、地域情報を画像又は文字情報で表示するようにしてもよいし、また抽出された情報を一覧化して表示するようにしてもよい。表示の際に、ログインした利用者が指定した位置と、各地域情報に関連付けられている位置情報が示す位置との間の距離が短い順に一覧として表示することが好ましい。抽出された情報を、情報の内容で分類することなしに一覧化して表示することにより、多様な情報をユーザに知らせることができ、利用者は、生活拠点、現在位置又は特定の住所等の指定位置により近い場所における地域情報を優先的に知り得る。
【００２０】
本発明では、地域情報は、小売業に係る情報、サービス業に係る情報、建築業若しくは建設の施工に係る情報、製造業・卸業の情報、病院の情報、学校、幼稚園、若しくは保育園の情報、自治会若しくは地域サークルの情報、又は自治体の災害情報を含む地域の生活情報である。地域情報は、大型店舗の情報は除外し、ユーザの生活拠点から身近に存在する店舗、団体、組織の情報に限定するとよい。これにより、ユーザの生活拠点から物理的に距離が近い身近な場所においての情報をユーザに知らしめることが可能となる。なお自治会情報は、自治会が主催又は他と共催する催事等の情報であって、従来は回覧版を用いて回覧されていた情報、又は所定の掲示場所に掲示されていた情報を含む。自治会情報が回覧されるべき情報を含む場合、該自治会情報を表示した端末装置から既読の情報を、ログイン情報が含む利用者識別情報と対応付けて中央装置へ送信されるようにするとよい。
【００２１】
本発明では、ユーザがログイン操作を行なった後、端末装置経由で画像データを中央装置が受け付け、ユーザの指定位置及び画像データに基づいて店舗の地域情報が抽出され、抽出された店舗へ距離が近い順に、画像データに基づく依頼データが提供される。ユーザがシステムにログインした状態で、画像データをアップロードすることにより、近隣の店舗へ画像データに関する依頼が自動的に順に提供され、店舗から近隣に生活拠点を置くユーザへ依頼に応じたサービス（所謂御用聞きサービス）の提供が可能となる。
【００２２】
本発明では、個別の地域情報を、特定のユーザ宛てのみに限って表示可能とするようにしてもよい。特定の条件とは、ユーザ夫々を区別するようにしてもよいし、ユーザが住む住所を含む小地域（地域内の自治会の各班、学校区、配達範囲など）、ユーザの家族構成又は年齢層等による区分であってもよい。これにより、特定のユーザ向けに個別の地域情報を知らしめることが可能となる。
【００２３】
本発明では、端末装置にて地図画像を表示し、地図画像内の任意の形状範囲選択を受け付けて地域情報の抽出範囲を定めることも可能である。これにより、ユーザはキーワードを選定することなく地図画像内の曖昧な範囲を抽出範囲として、地域情報を得ることが可能となる。
【発明の効果】
【００２４】
本発明による場合、ユーザはキーワードの選定又は入力なしに、生活拠点等の指定位置から近い地域情報を知り得ることができる。ユーザが近隣地域の店舗等を利用する機会を増やす可能性を増加させ、地域情報発信の活性化を図ることができる。
【図面の簡単な説明】
【００２５】
【図１】地域情報表示システムの構成を示すブロック図である。
【図２】地域情報システムにてユーザ登録を受け付ける処理手順の一例を示すフローチャートである。
【図３】利用者情報ＤＢに記憶される情報の内容例を示す説明図である。
【図４】会員情報ＤＢに記憶される情報の内容例を示す説明図である。
【図５】地域情報システムにて地域情報の登録を受け付ける処理手順の一例を示すフローチャートである。
【図６】地域情報ＤＢに記憶される情報の内容例を示す説明図である。
【図７】地域情報表示システムにおける地域情報の表示の処理手順の一例を示すフローチャートである。
【図８】地域情報の表示例を示す説明図である。
【図９】地図上の範囲選択により地域情報を抽出する処理手順の一例を示すフローチャートである。
【図１０】御用聞きサービスを実現するための処理手順の一例を示すフローチャートである。
【図１１】御用聞きサービスを実現するための処理手順の他の一例を示すフローチャートである。
【図１２】御用聞きサービスを実現するための処理手順の他の一例を示すフローチャートである。
【発明を実施するための形態】
【００２６】
図１は、地域情報表示システムの構成を示すブロック図である。本実施の形態における地域情報表示システムは、クライアントである複数の端末装置１と、サーバである中央装置２とを含んで構成される。端末装置１は、ユーザが自宅又は職場等で使用する装置である。本実施の形態において中央装置２は、各地域の商工会議所が管理するサーバである。中央装置２が設置されている場所は商工会議所の所在地とは限らない。なお中央装置２はクラウドサーバであってもよい。複数の端末装置１と中央装置２とは、インターネットを含む通信網３を介して通信接続が可能である。
【００２７】
端末装置１は、デスクトップ型のＰＣ（Personal Computer ）を用いる。端末装置１は、制御部１０、記憶部１１、一時記憶部１２、表示部１３、入力部１４及び通信部１５を備える。端末装置１は、タブレット型ＰＣ、スマートフォン等を用いてもよい。
【００２８】
制御部１０は、ＣＰＵ（Central Processing Unit ）を用いる。制御部１０は、記憶部１１に記憶してあるコンピュータプログラムに基づき各構成部を制御して後述する処理手順を実行する。記憶部１１は、ハードディスクドライブを用いる。記憶部１１には上述のコンピュータプログラムの他、少なくともウェブブラウザプログラムが記憶されてある。また記憶部１１には、制御部１０が参照する各種情報が記憶される。一時記憶部１２は、例えばＤＲＡＭ（Dynamic Random Access Memory）等のメモリを用いる。一時記憶部１２は、制御部１０の処理によって発生した情報を一時的に記憶する。
【００２９】
表示部１３は、液晶モニタなどのディスプレイを用いる。表示部１３は制御部１０から出力される制御信号に基づき、画像及び文字を表示する。入力部１４は、キーボード、マウス等を用いる。入力部１４は、ユーザの操作に基づき情報を入力して制御部１０へ通知する。通信部１５は、無線又は有線により通信網３を介した通信を実現する。制御部１０は通信部１５により、中央装置２との間でデータ通信接続が可能である。
【００３０】
中央装置２は、サーバコンピュータを用いる。中央装置２は、制御部２０、記憶部２１、一時記憶部２２、及び通信部２３を含む。制御部２０は、ＣＰＵを用い、記憶部２１に記憶してあるサーバプログラム２Ｐに基づき各構成部を制御して後述する処理手順を実行する。一時記憶部２２は、ＤＲＡＭ等のメモリを用い、制御部２０の処理によって発生した情報を一時的に記憶する。
【００３１】
記憶部２１は、ハードディスクを用いる。記憶部２１にはサーバプログラム２Ｐが記憶されている。記憶部２１には更に、地域情報ＤＢ２１１、利用者情報ＤＢ２１２及び会員情報ＤＢ２１３が記憶される。また記憶部２１には、制御部２０が処理を実行するに際して参照する設定値などの数値情報、又は判定条件等が記憶されている。なお記憶部２１は、通信網を介して接続される外部の記憶装置であってもよい。すなわち、記憶部２１とは、制御部２０からアクセス可能な１又は複数の情報記録媒体の総称である。
【００３２】
通信部２３は、無線又は有線により通信網３を介した通信を実現する。制御部２０は通信部２３により、端末装置１からのデータ通信接続を受け付け、端末装置１との間で情報を送受信する。
【００３３】
このようなハードウェア構成を持つ地域情報表示システムは、実施の形態１において、中央装置２を管理する商工会議所を管理者とし、ユーザと地域情報を発信する商工会議所の会員との間を仲介する場を提供する地域ポータルサイトを実現する。なお以下に提案する地域情報表示システムでは、商工会議所の会員のみならず近隣の自治会、教育機関、医療機関をも地域情報表示システムの会員とするとよい。更に中央装置２は、近隣の異なる商工会議所により合同で管理するとよい。
【００３４】
地域情報表示システムではまず、ユーザ及び会員の登録を受け付ける。図２は、地域情報システムにてユーザ登録を受け付ける処理手順の一例を示すフローチャートである。ユーザが端末装置１においてウェブブラウザを使用する操作を行ない、地域情報表示システムの登録ページへ閲覧しようとすると、中央装置２のＷｅｂサーバ機能により登録ページが端末装置１へ送信され、以下の処理が実行される。登録ページには、氏名、よみがな、住所、ログインパスワード等の各項目の文字入力エリアが含まれている。なお住所の文字入力エリアとして、主たる住所（住所１）以外に他の住所（住所２，住所３，…）の文字入力エリアが追加されるようにしてもよい。
【００３５】
端末装置１の制御部１０は、登録ページ内に含まれる各項目の文字入力エリアへの入力操作を入力部１４により受け付ける（ステップＳ１０１）。制御部１０は、入力部１４により受け付けられた入力文字の情報を、各文字入力エリアを区別して通信部１５により中央装置２へ送信する（ステップＳ１０２）。
【００３６】
中央装置２では制御部２０が、端末装置１から送信された登録ページの各項目の文字入力エリアに入力された入力文字の情報をユーザ情報として通信部２３により受け付ける（ステップＳ２０１）。制御部２０は、受け付けた入力文字の情報を項目毎に分別し、順次割り当てられるユーザＩＤと対応付けて記憶部２１の利用者情報ＤＢ２１２に記憶する（ステップＳ２０２）。制御部２０は住所の項目の入力文字の情報を、緯度経度を示す位置情報へ変換し（ステップＳ２０３）、ユーザＩＤに対応付けて変換後の位置情報を利用者情報ＤＢ２１２に追記する（ステップＳ２０４）。他の住所の項目の文字入力エリアが追加されている場合には、追加された住所の数分だけステップＳ２０３、Ｓ２０４を繰り返す。ステップＳ２０３における緯度経度を示す位置情報への変換は、緯度経度付き全国市町村役場データベース、又は街区レベル位置参照情報等を用いればよい。なお位置情報への変換は、直面直角座標を用いるようにしてもよい。平面直角座標系のように、ある原点にとする位置からの距離等で表現される情報であってもよい。次に制御部２０は、登録ページ内への入力文字の情報（ユーザ情報）に対して割り当てたユーザＩＤの情報を含む登録完了の通知を、送信元の端末装置１へ返信する（ステップＳ２０５）。
【００３７】
端末装置１の制御部１０は、中央装置２から返信されたユーザＩＤの情報を含む登録完了の通知を表示部１３に表示させ（ステップＳ１０３）、登録処理を終了する。
【００３８】
会員の登録についても同様に処理される。会員も端末装置１を利用して登録ページから、名称、よみがな、住所等の各項目の文字情報を入力し、中央装置２にてこれらの情報が会員情報として受け付けられる。中央装置２の制御部２０は、会員についても受け付けた入力文字の情報を項目毎に分別し、会員ＩＤを割り当て、住所を位置情報（緯度経度）へ変換し、会員ＩＤに対応付けて会員情報ＤＢ２１３に記憶する。
【００３９】
図３は、利用者情報ＤＢ２１２に記憶される情報の内容例を示す説明図であり、図４は、会員情報ＤＢ２１３に記憶される情報の内容例を示す説明図である。図３、図４に示すように、ユーザＩＤ、会員ＩＤ夫々に、緯度経度を示す位置情報が対応付けられて記憶されている。なお図３は、作図のために氏名と住所とを異なるレコードに分けているが、同一レコードに各項目が含まれるようにしてもよいことは勿論である。
【００４０】
なお図３では、説明を明確とするために情報がデータベース化されて図３、図４に示すように記憶されるとし、「緯度の値」「経度の値」が１レコードに含まれるような構成（例えば（ユーザＩＤ文字列, 住所１文字列, 緯度値, 経度値, 住所２文字列, 緯度値, 経度値））とした。しかしながら、あらゆる情報に位置情報を関連付けるようにする場合、緯度経度情報をどのようにデータに持たせてあるかが識別できることが重要となる。したがって各項目の実際の値又は文字列の前に、項目名称、区分又は属性のような識別情報を含むようにすることが好ましい。例えば上述の例であれば（…, latitude,緯度値, longitude , 経度値, …, latitude, 緯度値, longitude , 経度値）のように、値の前に項目名を入れておく。これにより、システム毎に定められる１レコードのデータ構成、値の順序等によらない汎用的な情報として、位置情報をあらゆる方法に利用することが出来るようになる。
【００４１】
次に、地域情報表示システムでは、発信される地域情報の登録を受け付ける。図５は、地域情報システムにて地域情報の登録を受け付ける処理手順の一例を示すフローチャートである。会員並びに自治会、教育機関、医療機関等の管理者が端末装置１においてウェブブラウザを使用し、地域情報表示システムの地域情報登録ページへアクセスすると、中央装置２のＷｅｂサーバ機能により地域情報登録ページが端末装置１へ送信され、以下の処理が実行される。地域情報登録ページには、会員ＩＤ又は氏名、地域情報の内容等の各項目の文字入力エリアが含まれている。なお地域情報登録ページには、登録されている会員の住所（居所）と異なる場所に関する地域情報を登録するために、開催場所の文字入力エリア、更に、表示期限を受け付ける文字入力エリアが別途含まれていてもよい。
【００４２】
端末装置１の制御部１０は、地域情報登録ページ内に含まれる各項目の文字入力エリアへの入力操作を入力部１４により受け付ける（ステップＳ１１１）。制御部１０は、入力部１４により受け付けられた入力文字の情報を、各文字入力エリアを区別して通信部１５により中央装置２へ送信する（ステップＳ１１２）。
【００４３】
中央装置２では制御部２０が、端末装置１から送信された地域情報登録ページの各項目の文字入力エリアに入力された入力文字の情報を地域情報として通信部２３により受け付ける（ステップＳ２１１）。制御部２０は、受け付けた入力文字の情報を項目毎に分別し、承認前の地域情報として情報ＩＤを割り当て、記憶部２１の地域情報ＤＢ２１１に記憶する（ステップＳ２１２）。制御部２０は、承認前の地域情報に会員情報ＤＢ２１３において会員ＩＤに対応付けられている位置情報を関連付けて記憶する（ステップＳ２１３）。このとき制御部２０は、受け付けた入力文字の情報に開催場所の情報が別途含まれている場合、開催場所の入力文字の情報に基づき、緯度経度を示す位置情報へ変換してから関連付ける。
【００４４】
制御部２０は、位置情報が関連付けられた承認前の地域情報の承認依頼を、中央装置２の管理者宛てに通知する（ステップＳ２１４）。通知は、管理者が地域情報表示システムにログインした場合に通知がされるようにするか、又は電子メールを使用してもよい。制御部２０は、承認の可否を受け付け（ステップＳ２１５）、承認されたか否かを判断する（ステップＳ２１６）。承認されたと判断された場合（Ｓ２１６：ＹＥＳ）、制御部２０は地域情報ＤＢ２１１の承認前の地域情報を承認後の地域情報に更新し（ステップＳ２１７）、ステップＳ２１１で受け付けた会員ＩＤに基づき承認依頼元の会員へ登録承認の通知を送信する（ステップＳ２１８）。ステップＳ２１６にて承認されなかったと判断した場合（Ｓ２１６：ＮＯ）、制御部２０は、承認前の地域情報を破棄するか、又は地域情報ＤＢ２１１における保留の地域情報に更新し（ステップＳ２１９）、ステップＳ２１１で受け付けた会員ＩＤに基づき承認依頼元の会員へ、登録拒否の通知を送信する（Ｓ２１８）。なおステップＳ２１４、Ｓ２１５の処理は、制御部２０が地域情報の内容が所定の条件を満たすか否か、自動的に判断する処理手順に代替されてもよい。
【００４５】
端末装置１の制御部１０は、中央装置２から送信された通知の内容を表示部１３に表示させ（ステップＳ１１３）、地域情報の登録処理を終了する。
【００４６】
上述のように地域情報は一旦承認を経る構成としたことにより、ユーザ又は会員同士の直接的な情報のやり取りを回避し、地域情報の氾濫、個人情報の漏洩、一部の会員からの情報への偏り等を防止する効果が期待できる。
【００４７】
図６は、地域情報ＤＢ２１１に記憶される情報の内容例を示す説明図である。図６に示すように、各地域情報には、地域情報の発信元の会員ＩＤに対応付けられている緯度経度を示す位置情報、又は異なる開催場所から変換された緯度経度を示す位置情報が関連付けられている。地域情報は題名、及び、文字又は画像を含む本文からなり、図６に示すように地域情報ＤＢ２１１には、情報ＩＤに題名が関連付けられ、該題名に本文のページへのリンクが記憶されるようにしてある。図６には、自治会の回覧又は掲示情報である情報ＩＤ「００１００」が割り当てられた地域情報と、教育機関である小学校の回覧又は掲示情報である情報ＩＤ「０２５００」が割り当てられた地域情報とが示されている。これらの地域情報には、商工会議所の会員ではない自治会に割り当てられた会員ＩＤ及び教育機関に割り当てられた会員ＩＤが夫々対応付けられている。また図６の地域情報には表示期限が関連付けられている。表示期限は初期的には題名に含まれている日付であり、表示期限を受け付ける文字入力エリアに入力文字の情報が入力された場合、該情報を関連付けるとよい。
【００４８】
このように記憶されたユーザ及び会員並びに地域情報（地域情報ＤＢ２１１、利用者情報ＤＢ２１２、及び会員情報ＤＢ２１３）に基づいて、地域情報が表示される過程について説明する。なお上述の予め記憶しておく処理手順と、以後の地域情報の抽出に係る処理手順とは、別個のコンピュータプログラムに基づいて実行されるものとしてもよい。図７は、地域情報表示システムにおける地域情報の表示の処理手順の一例を示すフローチャートである。ユーザが端末装置１においてウェブブラウザを使用し、地域情報表示システムのログインページへアクセスすると、ログインページが中央装置２から端末装置１へ送信され、以下の処理が実行される。ログインページには、ユーザＩＤ又は氏名、及びログインパスワードの文字入力エリアが含まれている。
【００４９】
端末装置１の制御部１０は、ログインページ内に含まれるユーザＩＤ又は氏名、ログインパスワード等の各項目の文字入力エリアへの入力操作を入力部１４により受け付ける（ステップＳ１２１）。制御部１０は、受け付けられた入力文字の情報を、各文字入力エリアを区別して通信部１５により中央装置２へ送信する（ステップＳ１２２）。
【００５０】
中央装置２では制御部２０が、端末装置１から送信された入力文字の情報をログイン情報として通信部２３により受け付ける（ステップＳ２２１）。制御部２０は、受け付けた入力文字の情報の内、ユーザＩＤ又は氏名に対応する入力文字の情報に対応付けられている１つの住所（例えば主たる住所）の位置情報を、利用者情報ＤＢ２１２を参照して取得する（ステップＳ２２２）。制御部２０は、取得した位置情報が示す緯度経度から所定距離内の位置に対応する緯度経度の位置情報が関連付けられた地域情報を抽出する（ステップＳ２２３）。ステップＳ２２３における所定距離は例えば、後述の図８で説明するように端末装置１の表示部１３にて表示する地図画像のスケールに応じて設定され、端末装置１にて地図画像の拡縮操作が行なわれた場合に、拡縮に応じて変更されてもよい。制御部２０は、抽出した地域情報夫々について、関連付けられている位置情報が示す緯度経度と、ステップＳ２２２で取得した位置情報が示す緯度経度との間の距離を算出する（ステップＳ２２４）。制御部２０は、算出した距離が短い順に、抽出した地域情報をソートして一覧化したページを作成し（ステップＳ２２５）、作成したページを端末装置１へ送信する（ステップＳ２２６）。ステップＳ２２５では、ソートなしにページを作成してもよいが、算出した距離の情報も各地域情報と対応付けて送信することが好ましい。またステップＳ２２５において制御部２０は、外部の地図情報サービスから地図画像を取得し、取得した地図画像をページ内にレイアウトすることが好ましい。
【００５１】
ステップＳ２２１で受け付けたユーザＩＤに複数の位置情報が対応付けられている場合、ステップＳ２２５で作成されるページには、他の住所の選択を受け付けるページへのリンクが含まれるとよい。他の住所が選択された場合にはステップＳ２２２において、選択された住所の位置情報を利用者情報ＤＢ２１２から取得する。
【００５２】
端末装置１の制御部１０は、中央装置２から送信されたページをウェブブラウザにより表示部１３に表示させ（ステップＳ１２３）、地域情報の表示処理を終了する。
【００５３】
図８は、上述の手順による地域情報の表示例を示す説明図である。図８は端末装置１上で起動しているウェブブラウザ上で表示されるページの例を示しており、該ページには地図画像及び地域情報の一覧が含まれている。地図画像上のハッチングの部分がログインしているユーザのユーザＩＤに対応付けられている緯度経度に対応している。また地図画像内では、ユーザＩＤに対応する緯度経度から近い順に番号が付与されたアイコンが示されている。地図画像の下方に各地域情報の一覧が表示されている。一覧は、ユーザＩＤに対応する緯度経度から近い順に付与された番号の小さい順に題名が並列して構成されている。ユーザは、指定しておいた住所（住所１）から近い地域情報を優先的に知り得ることができる。他の住所（住所２，住所３，…）として職場、親兄弟等の親類の住所を指定することで、職場の近隣での地域情報又は親類の近隣での地域情報を知ることも可能になる。
【００５４】
図８にて示されているように、本実施の形態において表示される地域情報は、分類されることなしに一覧化されて並列に表示されている。従前の検索システムでは大抵の場合、地域情報の内容の分類ごとにページが分けられ、分類の選択を受け付けることで各ページが表示される。又は、地域情報の分類ごとに管理する主体が異なるために、サーバ自体が異なることが多い。これに対し本実施の形態における地域情報は、ログインしたユーザのユーザＩＤに対して、キーワードの入力なしに図８の表示例に示すような地域情報の一覧が表示されるから、例えばユーザが自治会の回覧情報を確認しようとログインした際に、近隣の学校での催事情報、又は地域サークル（小学校のスポーツサークル、高齢者の健康推進サークル）等の情報を知り得、更に、近隣の店舗の情報を知り得ることができる。従前の検索システムのように情報が表示されるページ又はサーバ自体が異なる場合には、検索しようとする情報以外の情報をユーザが入手することはなく、この点で地域情報の発信の活性化を図る上で優れた効果を奏する。
【００５５】
なお図８に示した番号は必須ではない。ユーザＩＤに対応する緯度経度からの近さに応じた順序の付与は必ずしも必要ではなく、ユーザが指定した住所から物理的距離が近い情報が抽出されて表示されるのみでよい。この場合、上述の図７のフローチャートにおけるステップＳ２２５のソートの処理は不要となる。なお、抽出した地域情報がソートされずに作成されたページが端末装置１へ送信された場合、端末装置１の制御部１０は、各地域情報に対して算出された距離の情報に基づいて、各地域情報に関連付けられている位置を指し示すアイコン（図８中のフキダシアイコン等）の大きさを変更するようにしてもよい。例えば、指定した住所から距離が近い地域情報ほどアイコンが大きく表示されることで、地域情報表示システムは、より近い距離の情報を強調して知らしめることができる。
【００５６】
図８の例に示している地域情報の内、番号「１」が付与された情報は自治会の回覧情報である。一覧内の地域情報の題名には、各地域情報の本文のページへのリンクが含まれている。ユーザが入力部１４を操作しウェブブラウザ上で自治会の回覧情報である地域情報の題名を選択し、これにより中央装置２から本文のページが端末装置１へ送信された場合、中央装置２の制御部２０は、選択された回覧情報である地域情報に対し、ユーザＩＤと対応付けて既読を示す既読情報を記憶する。これにより閲覧すべきユーザが回覧したか否かを回覧情報毎に管理でき、地域情報表示システム内で電子回覧システムが実現できる。
【００５７】
図８の例の地図画像には、駅を通る一点鎖線で示す行政区の境界が示されており、駅を挟んで行政区が異なる地域の店舗群が存在することが示されている。キーワードによる検索を行なう場合、図８のような異なる行政区が含まれる範囲内では、キーワードの入力を誤ると同一の駅前の店舗群であっても一方の店舗群の情報のみが検索される可能性がある。本実施の形態の地域情報表示システムでは、キーワードではなく、指定位置からの距離に応じた表示がなされるので、行政区の区分けにとらわれない情報提供が可能となる。ただし、商工会議所の区分けが問題とならないように複数の商工会議所で情報を共有するとよい。各情報の発信元が、異なる商工会議所の会員でも、表示される情報はログインしたユーザが指定している位置から所定距離内の情報に限られるため、情報の地区分けは不要である。
【００５８】
図８に示すページ内に表示される地域情報の量は、承認を得たものに限られているため、過多とならないように調整可能であり、キーワード等による分類で情報を選別することは不要である。更に情報の量が過多とならないよう、距離が近い順に５秒などの所定時間間隔で、情報を順次時間的に分けて表示するようにしてもよい。また各地域情報に表示期限が設けられている場合、表示期限を超過した情報は自動的に非表示として情報量を削減するなどしてもよい。
【００５９】
上述した地域情報表示システムにおいては、ユーザはログインページにユーザＩＤ等の情報を入力すると、既に登録してある１つ又は複数の住所の内のいずれかの住所に基づいて、該住所の緯度経度から物理的に距離が近い地域情報が抽出されて表示された。ここで住所は「現在地」に代替可能である。端末装置１がＧＰＳ（Global Positioning System ）受信部を有するスマートフォン等であって「現在地」が指定されている場合、現在地の緯度経度が中央装置２へ送信される構成により、利用者情報ＤＢ２１２で対応付けられた住所の代わりに現在地から物理的な距離が近い地域情報を抽出することもできる。
【００６０】
（変形例１）
予め登録してある住所、はＧＰＳ機能に基づく現在地を基準とした抽出以外に、図８に示したような地図画像に対し、ユーザが任意の範囲を囲む操作を行ない、これにより囲まれた範囲内の地域情報が抽出される構成でもよい。このときの地図画像は、登録してある住所によらず、ユーザが任意に選択した地域の地図画像であってよい。
【００６１】
図９は、地図上の範囲選択により地域情報を抽出する処理手順の一例を示すフローチャートである。ユーザが端末装置１においてウェブブラウザを使用し、地域情報表示システムにログインして範囲選択用のページへアクセスすると、中央装置２のＷｅｂサーバ機能により地図画像を含むページが端末装置１へ送信され、以下の処理が実行される。送信されるページは初期的には、ユーザＩＤに対応する住所を基準とした所定スケールの地図を含むようにしてもよい。
【００６２】
端末装置１の制御部１０は、表示中の地図画像上での範囲選択を所定の形状又は任意形状で受け付け（ステップＳ１３１）、選択された範囲を規定する地図画像上の軌跡の座標情報を入力部１４からの入力に基づき特定し（ステップＳ１３２）、地図画像の範囲を示す地図画像情報と、ステップＳ１３２で特定した軌跡の地図画像上の座標情報を中央装置２へ送信する（ステップＳ１３３）。
【００６３】
中央装置２の制御部２０は、地図画像情報及び軌跡の座標情報を受け付け（ステップＳ２３１）、選択された範囲を規定する軌跡の緯度経度を特定する（ステップＳ２３２）。制御部２０は、選択された範囲の中心に対応する緯度経度を特定し（ステップＳ２３３）、ステップＳ２３２で特定した軌跡内に含まれる緯度経度が関連付けられている地域情報を地域情報ＤＢ２１１から抽出する（ステップＳ２３４）。制御部２０は、抽出した地域情報夫々について、関連付けられている位置情報が示す緯度経度と、中心に対応する緯度経度との間の距離を算出し（ステップＳ２３５）、抽出した地域情報を算出された距離が短い順にソートして一覧化したページを作成し（ステップＳ２３６）、作成したページを端末装置１へ送信する（ステップＳ２３７）。
【００６４】
端末装置１の制御部１０は、中央装置２から送信されたページを表示部１３にて表示させ（ステップＳ１３４）、地域情報の表示処理を終了する。ステップＳ１３４により表示されるページは、図８に示したような地図画像と地域情報の一覧とを含むようにするとよい。このとき、地図画像上には選択された範囲を示す軌跡が描画されているとよい。
【００６５】
地域情報表示システムでは、図２〜図４で示したように各地域情報に緯度経度の位置情報が関連付けられて記憶されていることにより、キーワードではなく、任意の位置の指定を受け付けて地域情報を抽出することができる。
【００６６】
（変形例２）
本実施の形態における地域情報表示システムは、ユーザの住所から物理的に距離が近い身近な店舗の情報を提供し、ユーザからの依頼を受け付けて買い物の代行等を提供する所謂御用聞きサービスに適用することが可能である。図１０は、御用聞きサービスを実現するための処理手順の一例を示すフローチャートである。ユーザが端末装置１においてウェブブラウザを使用し、地域情報表示システムにログインして御用聞き用のページへアクセスすると、中央装置２から御用聞き用のページが端末装置１へ送信され、以下の処理が実行される。
【００６７】
端末装置１の制御部１０は画像データを受け付け（ステップＳ１４１）、該端末装置１にてログイン中のユーザＩＤと対応付けて中央装置２へ送信する（ステップＳ１４２）。
【００６８】
中央装置２の制御部２０は、端末装置１から送信されたユーザＩＤ及び画像データを通信部２３により受け付け（ステップＳ２４１）、ユーザＩＤに基づき、利用者情報ＤＢ２１２を参照して対応付けられている１つの住所（例えば主たる住所）の位置情報を取得する（ステップＳ２４２）。制御部２０は、取得した位置情報が示す緯度経度から所定距離内の位置に対応する緯度経度の位置情報が対応付けられている会員の内、小売業又はサービス業に係る店舗の会員ＩＤを抽出する（ステップＳ２４３）。制御部２０は、御用聞きサービスを行なう店舗として予め記憶部２１に記憶してある会員のみを抽出してもよいし、御用聞きサービスに関する内容の地域情報の発信元の会員を抽出してもよい。ステップＳ２４３において制御部２０は、ステップＳ２４１で受け付けた画像データに対し、画像認識処理を実行して画像内に撮像されている物又は人物を特定し、特定された物又は人物に対する所定の条件に基づいて、依頼先の会員ＩＤを更に絞り込んでもよい。
【００６９】
制御部２０は、抽出された会員ＩＤ宛てに、画像データを含む御用聞き依頼を通知する（ステップＳ２４４）。通知は、会員ＩＤによるログインがされた場合に通知されるか、又は、会員ＩＤに対応付けて予め登録される電子メールを使用してもよい。ステップＳ２４４において制御部２０は、対応する位置情報の緯度経度と、ステップＳ２４１で受け付けたユーザＩＤに対応付けられている１つの住所の位置情報の緯度経度との間の距離が短い順に、順次通知を行なうようにしてもよい。
【００７０】
また逆に、本実施の形態の地域情報表示システムを利用し、ユーザからではなく店舗側から御用聞きサービスに係る情報を近隣に住むユーザへ提供することも可能である。図１１及び図１２は、御用聞きサービスを実現するための処理手順の他の一例を示すフローチャートである。なお、図１１及び図１２のフローチャートに示される処理手順の内、図５及び図７のフローチャートに示した処理手順と共通する手順には同一のステップ番号を付して詳細な説明を省略する。なお、会員並びに自治会、教育機関、医療機関等の管理者が端末装置１において表示される地域情報登録ページには、地域情報の内容等の各項目に、表示の特定条件の入力エリアが含まれていることとする。
【００７１】
会員が操作する端末装置１において制御部１０は、地域情報登録ページ内の前記特定条件の入力エリアを含む各項目の文字入力エリアへの入力操作を入力部１４により受け付け（Ｓ１１１）、受け付けられた入力文字の情報を、各文字入力エリアを区別して通信部１５により中央装置２へ送信する（Ｓ１１２）。
【００７２】
中央装置２では制御部２０が、端末装置１から送信された地域情報登録ページの各項目の文字入力エリアに入力された入力文字の情報を地域情報として通信部２３により受け付ける（Ｓ２１１）。制御部２０は、地域情報が特定条件を満たす場合に表示する個別の地域情報であるか否かを判断する（ステップＳ２５１）。個別の地域情報であるか否かは、特定条件の入力エリアの入力文字の情報が含まれているか否かで判断されるとよい。特定条件とは例えば、情報の宛先を特定のユーザのユーザＩＤとすること、又は情報の表示条件を地域内の特定の範囲とすること等である。制御部２０は、個別の地域情報であると判断した場合（Ｓ２５１：ＹＥＳ）、個別の地域情報であることが識別できるように承認前の地域情報として情報ＩＤを割り当て、受け付けた他の入力文字の情報を項目毎に分別し、記憶部２１の地域情報ＤＢ２１１に記憶する（ステップＳ２５２）。そして制御部２０は、承認前の地域情報に位置情報を関連付けて記憶し（ステップＳ２５３）、処理をステップＳ２１４へ進める。このときの位置情報は、会員情報ＤＢ２１３において、端末装置１から受け付けた会員ＩＤに対応付けられている位置情報か、又は、特定条件として入力されている位置情報であってもよい。
【００７３】
ステップＳ２５１にて個別の地域情報でないと判断された場合（Ｓ２５１：ＮＯ）、制御部２０は処理をステップＳ２１２へ進める。以後の処理は図５のフローチャートに示した処理手順と同様であるから詳細な説明を省略する。
【００７４】
上述のように特定条件を含んで登録された個別の地域情報の表示手順について図１２を参照して説明する。中央装置２では制御部２０が、端末装置１から送信された入力文字の情報をログイン情報として通信部２３により受け付け（Ｓ２２１）、受け付けた入力文字情報の内、ユーザＩＤに基づいて、該ユーザＩＤを特定の宛先とする個別の地域情報が存在するか否かを判断する（ステップＳ２６１）。存在すると判断された場合（Ｓ２６１：ＹＥＳ）、制御部２０は該ユーザＩＤのユーザを特定の宛先とする個別の地域情報を抽出し（ステップＳ２６２）、処理をステップＳ２２２へ進める。存在しないと判断された場合（Ｓ２６１：ＮＯ）、制御部２０は処理をそのままステップＳ２２２へ進める。次に制御部２０は、ステップＳ２２２で取得された位置情報に基づき、該位置情報が示す位置が、個別の地域情報として記憶されている地域情報に係る特定条件の特定の範囲に含まれるか否かを判断する（ステップＳ２６３）。含まれると判断された場合（Ｓ２６３：ＹＥＳ）、制御部２０は前記個別の地域情報を抽出し（ステップＳ２６４）、処理をステップＳ２２３へ進めて他の地域情報も抽出する（Ｓ２２３）。ステップＳ２６３にて含まれないと判断された場合（Ｓ２６３：ＮＯ）、制御部２０は処理をそのままステップＳ２２３へ進める。
【００７５】
ステップＳ２２５では、算出された距離が短い順に抽出した地域情報をソートして一覧化したものに、抽出された個別の地域情報を追加して一覧化したページを作成し（Ｓ２２５）、端末装置１へ送信する（ステップＳ２２６）。
【００７６】
図１１及び図１２のフローチャートに示した処理手順により例えば以下のような情報を特定のユーザへ表示することが可能である。ある商店等の店舗より、特定のユーザのユーザＩＤを宛先とする「先日お伺いしておりました○○が明日入荷予定です。数に限りがありますので、お早めにご用命をお待ちしています。」という個別の地域情報が登録される。特定のユーザがログインすると、ユーザのユーザＩＤに基づいて個別の地域情報が表示される。当該地域情報に対する返信として、図１０のフローチャートに示した処理手順のようにして、ユーザＩＤと対応付けて依頼データ（画像データの代替）を中央装置２へ送信し、個別の地域情報の発信元の店舗へ依頼データが通知されることにより、御用聞きサービスが実現される。同様にして、ある店舗より、特定の小地域への個別の地域情報が登録されるようにして御用聞きサービスを実現するようにしてもよい。
【００７７】
このように、ユーザ及び会員情報、並びに地域情報全てに位置情報を関連付けて記憶されてあることにより、ログイン情報と画像データとをシステムにアップロードする操作によりユーザの生活拠点の近隣に存在する店舗へ御用聞きの依頼が自動的に通知される仕組み、又は御用聞きの依頼を個別に受け付け、個別の情報を表示する仕組みを実現することが可能である。
【００７８】
上述の実施の形態では、中央装置２は各地域の商工会議所が管理するサーバであるとした。しかしながらこれに限らず、商工会議所、商工会、信用金庫、地方銀行及びそれらの上部団体又は関連団体がサーバを管理するような仕組みであってもよいことは勿論である。
【００７９】
今回開示した実施の形態は、全ての点で例示であって、制限的なものではないと考えられるべきである。本発明の範囲は、特許請求の範囲内での全ての変更及び特許請求の範囲と均等の範囲が含まれることが意図される。
【符号の説明】
【００８０】
１  端末装置
１０  制御部
１４  入力部
１５  通信部
２  中央装置
２１  記憶部
２１１  地域情報ＤＢ
２１２  利用者情報ＤＢ
２３  通信部
【図１】
0006319842.tif 000002
【図２】
0006319842.tif 000003
【図３】
0006319842.tif 000004
【図４】
0006319842.tif 000005
【図５】
0006319842.tif 000006
【図６】
0006319842.tif 000007
【図７】
0006319842.tif 000008
【図８】
0006319842.tif 000009
【図９】
0006319842.tif 000010
【図１０】
0006319842.tif 000011
【図１１】
0006319842.tif 000012
【図１２】
0006319842.tif 000013